(57)【特許請求の範囲】
【請求項１】
電源プラグが抜き差し可能な電源コンセントと、通信ケーブルのコネクタが抜き差し可能な情報コンセントと、電源コンセント及び情報コンセントをそれぞれ少なくとも１つずつ収納するハウジングとから成り、ハウジングが机等の天板に埋め込み配設される配線装置であって、ハウジングは、電源プラグの差込口及び通信ケーブルのコネクタの差込口を外部に臨ませる開口窓と、電源コンセントに接続されて外部に引き出される電源線の外皮を張力止めする電源線止め部と、情報コンセントに接続されて外部に引き出される通信線の外皮を張力止めする通信線止め部とを備え、電源線止め部と通信線止め部とは、何れもハウジングの外壁と、ハウジングの外壁と並行して設けられる内壁とにそれぞれ設けられて電源線又は通信線の外皮が固定される切り欠きから構成され、ハウジング内において電源線止め部と通信線止め部との間に電源線と通信線とを隔てる絶縁性の隔壁を備えたことを特徴とする配線装置。
【請求項２】
前記ハウジングは、隔壁によって隔てられた電源コンセントの収納空間及び情報コンセントの収納空間それぞれと外部とを繋ぐ一乃至複数の排水孔を備えたことを特徴とする請求項１記載の配線装置。
【請求項３】
前記隔壁は、少なくとも電源コンセント側の壁面に導電性を有する部材が設けられたことを特徴とする請求項１記載の配線装置。
【発明の詳細な説明】
【技術分野】
【０００１】
本発明は、机等の天板に取り付けられる配線装置に関する。
【背景技術】
【０００２】
従来、オフィス内で使用されるパーソナルコンピュータを始めとする様々な電子機器に必要な電源やネットワークに接続するための配線を容易にするために、電源プラグを差込み可能とする電源コンセント及び通信ケーブルのコネクタを差込み可能とする情報コンセントを机等の天板に取り付ける配線装置が提案されており、例えば特許文献１に開示されているようなものがある。この種の配線装置として、利便性を考慮して電源コンセント及び情報コンセントをハウジング内に収納し、該ハウジングを机等の天板に埋め込む形で配設する配線装置が提案されている。
【特許文献１】特開２００５−１４９７５４号公報
【発明の開示】
【発明が解決しようとする課題】
【０００３】
ところで、上記のようなハウジングを有する配線装置では、外部から引き回される電源線と通信線をそれぞれ電源コンセント及び情報コンセントに接続する場合に、電源線及び通信線が引張られることで各々のコンセントにおける接続に支障をきたすのを防ぐために、各線を外部から引き込むためにハウジングに設けられた挿通孔の部分で各線の外皮を張力止めすることが考えられる。例えば、電源線には、一般にＶＶＦケーブルのように導体を絶縁体で被覆した複数の電線を外皮で覆ったものが用いられるので、電源線を接続する場合、電源線の先端部の外皮を剥がして接続に必要な長さ分の電線を露出させて電源コンセントの端子に接続し、その後ハウジング内に電源コンセントを収納して挿通孔の部分で電源線の外皮を張力止めする。
【０００４】
上述のような張力止めを行う場合は、一旦外皮を張力止めすると電源線を取り外すことが困難であり、また電線を接続に必要な長さ分だけちょうど露出させることが難しいので、予め必要以上の長さの電線を露出させて電線の余長分をハウジング内に押し込むという施工作業が行われる場合があった。しかしながら、電線の余長分が長すぎると、ハウジング内において電線が通信線の方へとはみ出して通信線と混触することで感電や漏電が発生する虞があった。
【０００５】
本発明は、上記の点に鑑みて為されたもので、電源線と通信線が混触するのを防ぐことのできる配線装置を提供することを目的とする。
【課題を解決するための手段】
【０００６】
請求項１の発明は、上記目的を達成するために、電源プラグが抜き差し可能な電源コンセントと、通信ケーブルのコネクタが抜き差し可能な情報コンセントと、電源コンセント及び情報コンセントをそれぞれ少なくとも１つずつ収納するハウジングとから成り、ハウジングが机等の天板に埋め込み配設される配線装置であって、ハウジングは、電源プラグの差込口及び通信ケーブルのコネクタの差込口を外部に臨ませる開口窓と、電源コンセントに接続されて外部に引き出される電源線の外皮を張力止めする電源線止め部と、情報コンセントに接続されて外部に引き出される通信線の外皮を張力止めする通信線止め部とを備え、電源線止め部と通信線止め部とは、何れもハウジングの外壁と、ハウジングの外壁と並行して設けられる内壁とにそれぞれ設けられて電源線又は通信線の外皮が固定される切り欠きから構成され、ハウジング内において電源線止め部と通信線止め部との間に電源線と通信線とを隔てる絶縁性の隔壁を備えたことを特徴とする。
【０００７】
請求項２の発明は、請求項１の発明において、ハウジングは、隔壁によって隔てられた電源コンセントの収納空間及び情報コンセントの収納空間それぞれと外部とを繋ぐ一乃至複数の排水孔を備えたことを特徴とする。
【０００８】
請求項３の発明は、請求項１の発明において、隔壁は、少なくとも電源コンセント側の壁面に導電性を有する部材が設けられたことを特徴とする。
【発明の効果】
【０００９】
請求項１の発明によれば、ハウジングは、電源プラグの差込口及び通信ケーブルのコネクタの差込口を外部に臨ませる開口窓と、電源コンセントに接続されて外部に引き出される電源線の外皮を張力止めする電源線止め部と、情報コンセントに接続されて外部に引き出される通信線の外皮を張力止めする通信線止め部とを備え、ハウジング内において電源線止め部と通信線止め部との間に電源線と通信線とを隔てる絶縁性の隔壁を備えたので、電線が通信線の方へとはみ出すのを隔壁で防ぐことができ、したがって電線の余長分が通信線と混触して感電や漏電等が生じるのを防止することができる。
【００１０】
請求項２の発明によれば、ハウジングは、隔壁によって隔てられた電源コンセントの収納空間及び情報コンセントの収納空間それぞれと外部とを繋ぐ一乃至複数の排水孔を備えたので、ハウジング内に水等が浸入しても排水孔を通して排水することができる。
【００１１】
請求項３の発明によれば、隔壁は、少なくとも電源コンセント側の壁面に導電性を有する部材が設けられたので、導電性部材により通信線や情報コンセントをシールドすることで、電線から放射される電磁波ノイズの影響が情報コンセントに及ぶのを防ぐことができる。
【発明を実施するための最良の形態】
【００１２】
以下、本発明の実施形態について図面を用いて説明する。尚、以下の説明では、ボディ４の短手方向において、図１（ａ）における手前側を上方向、奥側を下方向とし、ボディ４の長手方向において、図１（ａ）における手前側を右方向、奥側を左方向とし、図１（ａ）における上方向を前方向、下方向を後方向と定める。
【００１３】
本実施形態の配線装置は、図１に示すように、上面に接地極付きの電源プラグ（図示せず）の差込口１１を有する電源コンセント１と、上面に、例えばＲＪ−４５の８芯のモジュラプラグ（図示せず）の差込口２１を有するモジュラジャック（情報コンセント）２と、電源コンセント１及びモジュラジャック２が収納されるとともに、電源コンセント１及びモジュラジャック２の各下面側を埋め込む形で例えば机の天板に取り付けられるハウジング３とを備える。ハウジング３は、電源プラグの差込口１１及びモジュラプラグの差込口２１を外部に臨ませる２つの開口窓３０と、電源コンセント１に接続されて外部に引き出される電源線Ｌ１の外皮を張力止めする電源線止め部６と、モジュラジャック２に接続されて外部に引き出される通信線Ｌ２の外皮を張力止めする通信線止め部７と、電源線止め部６と通信線止め部７との間に電源線Ｌ１と通信線Ｌ２とを隔てる絶縁性の隔壁８とを備えている。
【００１４】
電源線Ｌ１は、各々導体を絶縁体で被覆した電圧極用及び接地側極用の電線Ｌａ、接地極用の接地線Ｌｂの３本の電線を外皮で覆った所謂３芯のＶＶＦケーブルであり、一方の先端部の外皮を剥がして各電線を露出させ、電源コンセント１に接続される。通信線Ｌ２は、一対の撚り線（図示せず）を１組として４組の撚り線を外皮で覆った８芯のツイストペアケーブル（ＬＡＮケーブル）で、一方の先端部の外皮を剥がして撚り線を露出させ、モジュラジャック２に接続される。
【００１５】
電源コンセント１には、合成樹脂製のケース１０の上面に３極の電源プラグが差し込まれる差込口１１が設けられている。ケース１０は、日本工業規格（ＪＩＳ）で規格化された大角形連用配線器具の１個モジュール寸法（ＪＩＳ  Ｃ  ８３０４参照）に形成されている。差込口１１には、電源プラグの電圧極及び接地側極用の平型栓刃が挿入される栓刃挿入孔１１ａが２つと、接地極用の丸ピン型栓刃が挿入される栓刃挿入孔１１ｂが１つ設けられている。ケース１０の内部には、各栓刃挿入孔１１ａ、１１ｂと対向して各栓刃を受ける３つの刃受け（図示せず）と、各刃受けと各々連結して速結端子を構成している３つの端子部（図示せず）とが収納されている。
【００１６】
ケース１０下面の左右両側には、図１（ｂ）に示すように、各端子部と対向し電線Ｌａ及び接地線Ｌｂの先端が挿入される電線挿入孔１２が各々２つずつ設けられており、該電線挿入孔１２に電線Ｌａ及び接地線Ｌｂの先端を差し込むことで各端子部と接続される。本実施形態では、左側の２つの電線挿入孔１２に、それぞれ電圧極用及び接地側極用の電線Ｌａが差し込まれ、右側の何れか１つの電線挿入孔１２に接地線Ｌｂが差し込まれる。尚、このような電源コンセント１の内部構造は従来周知であるので図示並びに説明は省略する。
【００１７】
モジュラジャック２は、図１（ｂ）に示すように、略直方体状のケース２０の上面にモジュラプラグの差込口２１が設けられ、差込口２１は、従来周知の構造を有する扉２３で開閉自在に閉塞されている。下面には、通信線Ｌ２の先端が挿入される通信線挿通孔２２が設けられており、該通信線挿通孔２２に通信線Ｌ２の先端を差し込み、各撚り線を解いた計８本の芯線をモジュラジャック２の内部に備えられたコンタクト（図示せず）と成端することで通信線Ｌ２がモジュラジャック２に接続される。また、電源コンセント１のケース１０と同様、モジュラジャック２のケース２０は、前記規格で規格化された大角形連用配線器具の１個モジュール寸法に形成されている。尚、このようなモジュラジャック２の構造は従来周知であるので図示並びに説明は省略する。
【００１８】
ハウジング３は、例えば合成樹脂等の絶縁性材料で形成され、各々一面が開口された箱体から成るボディ４及びカバー５のそれぞれの開口面を突き合わせて構成されている。ボディ４は、図１（ａ）に示すように、前面が開口する箱体に形成され、ボディ４の上面は、略中央で前方に延設された略矩形状の突壁４０と、左右両側で前方に延設された略矩形状の突片４１とを残して開口している。突壁４０の下側には、後述するカバー５の主片５２が挿通される略矩形状の係止孔４０ａが前後に貫通して形成されている。突片４１各々の略中央には、後述するカバー５の長孔５１ａと係合する係合片４１ａが上方へ突設されている。
【００１９】
ボディ４の後面には、ボディ４の下面と一定の間隔をおいて並行する内壁４６がボディ４の左右方向に亘って前方へ突設されている。該内壁４６とボディ４の下面との間には、３つの略円筒状のボス部４３が左右方向に沿って一定の間隔を空けて設けられ、各ボス部には組立ネジ１１０が挿通される取付孔４３ａが形成されている。尚、取付孔４３ａには、図示は省略するが、組立ネジ１１０と螺合するナットが収納されている。
【００２０】
左側のボス部４３と中央のボス部４３との間の略中央では、内壁４６とボディ４の下面に各々略半円形状の切り欠き６ａ、６ｂが形成されており、これら切り欠き６ａ、６ｂが電源線止め部６を構成する。該切り欠き６ａ、６ｂの径は、それぞれ電源線Ｌ１の外皮の径よりも大きくならない程度に形成されており、電源線Ｌ１を該切り欠き６ａ、６ｂに押し込むことで電源線Ｌ１の外皮が固定されるようになっている。また、右側のボス部４３と中央のボス部４３との間の略中央では、内壁４６とボディ４の下面に各々略半円形状の切り欠き７ａ、７ｂが形成されており、これら切り欠き７ａ、７ｂが通信線止め部７を構成する。該切り欠き７ａ、７ｂの径は、それぞれ通信線Ｌ２の外皮の径よりも大きくならない程度に形成されており、通信線Ｌ２を該切り欠き７ａ、７ｂに押し込むことで通信線Ｌ２の外皮が固定されるようになっている。
【００２１】
内壁４６とボディ４の下面において、電源線止め部６を挟んだ左右両側及び通信線止め部７を挟んだ左右両側には、各々略矩形状の排水孔９が形成されている。これら排水孔９は、ハウジング３を机の天板等に埋め込み配設した時に下側に位置するので、ハウジング３の内部に水等が浸入した場合に該排水孔９を通して排出することができる。
【００２２】
ボディ４の後面の略中央には、略矩形状の隔壁８が上下方向に亘って前方へ突設されており、隔壁８を挟んで左右両側の空間は、後述するカバー５の隔壁８の左右両側の空間と併せて、電源コンセント１及びモジュラジャック２が収納される収納部３１をそれぞれ形成している。本実施形態では、左側の収納部３１に電源コンセント１、右側の収納部３１にモジュラジャック２が収納される。また、隔壁８を挟んで左右両側の空間には、各々複数（図示では３つ）の突条４２が上下方向に亘って前方に突設されており、該突条４２と後述するカバー５の突条５３とで電源コンセント１及びモジュラジャック２を挟持する。
【００２３】
カバー５は、図１（ｂ）に示すように、後面が開口する箱体に形成され、カバー５の上面は、略中央で後方に延設された突壁５０及び左右両側で後方に延設された突片５１を残して開口している。該開口は、ボディ４とカバー５を結合させる際に、ボディ４上面の開口部分と併せて開口窓３０を形成する。突壁５０の下側には、ボディ４の係止孔４０ａに挿通する略矩形状の主片５２がカバー５の前面から後方へ突設され、該主片５２の後端部には、ボディ４の後面外側に係止する係止片５２ａが下方へ突設されている。突片５１各々の後端部には、ボディ４の係合片４１ａと係合する矩形状の長孔５１ａが設けられている。
【００２４】
カバー５の前面には、カバー５の下面と一定の間隔をおいて並行する内壁５７がカバー５の左右方向に亘って後方へ突設されている。該内壁５７とカバー５の下面との間には、３つの略円筒状のボス部５４が左右方向に沿って一定の間隔を空けて設けられており、各ボス部５４には、組立ネジ１１０が挿通される取付孔５４ａがカバー５の前後に貫通して形成されている。該取付孔５４ａを通して組立ネジ１１０がボディ４のボス部４３の取付孔４３ａに挿通される。
【００２５】
左側のボス部５４と中央のボス部５４との間の略中央では、内壁５７とカバー５の下面に各々略半円形状の切り欠き６ａ、６ｂが形成されており、これら切り欠き６ａ、６ｂが電源線止め部６を構成する。該切り欠き６ａ、６ｂの径は、それぞれ電源線Ｌ１の外皮の径よりも大きくならない程度に形成されており、電源線Ｌ１を該切り欠き６ａ、６ｂに押し込むことで電源線Ｌ１の外皮が固定されるようになっている。また、右側のボス部５４と中央のボス部５４との間の略中央では、内壁５７とカバー５の下面に各々略半円形状の切り欠き７ａ、７ｂが形成されており、これら切り欠き７ａ、７ｂが通信線止め部７を構成する。該切り欠き７ａ、７ｂの径は、それぞれ通信線Ｌ２の外皮の径よりも大きくならない程度に形成されており、通信線Ｌ２を該切り欠き７ａ、７ｂに押し込むことで通信線Ｌ２の外皮が固定されるようになっている。
【００２６】
カバー５の前面の略中央には、略矩形状の隔壁８が上下方向に亘って後方へ突設されており、隔壁８を挟んで左右両側の空間は、前述のようにボディ４の隔壁８の左右両側の空間と併せて収納部３１を形成している。前記空間におけるカバー５前面の裏側には、それぞれ複数（図示では２つ）の突条５３が上下方向に亘って後方に突設されている。
【００２７】
ボディ４の後面上側の左右両端部には、それぞれボディ４の短辺と一定の間隔を空けて並行する切り溝４７によって分断された取付片４８が前後に撓み自在に形成されている。取付片４８には、下端部において下側から上側にかけて後方へ傾斜して突出する傾斜突部４８ａと、上端部において後方へ突出する突出部４８ｂとが形成されている。また、カバー５の前面上側の左右両端部においても、ボディ４と同様に、それぞれカバー５の短辺と一定の間隔を空けて並行する切り溝５８によって分断された取付片５９が前後に撓み自在に形成されている。取付片５９には、下端部において下側から上側にかけて前方へ傾斜して突出する傾斜突部５９ａと、上端部において前方へ突出する突出部５９ｂとが形成されている。
【００２８】
ボディ４の後面の上端部及びカバー５の前面の上端部には、それぞれ後述するスライドカバー１００の嵌合片１０２が嵌合する嵌合溝４５、５６が左右方向に亘って形成されている。また、ボディ４の上面の左右両端部前方には、上方に突出する略矩形状の案内片４４が設けられ、カバー５の上面の左右両端部後方には、上方に突出する略Ｌ字状の案内片５５が設けられている。これら案内片４４、５５は、ボディ４とカバー５が結合した際に、案内片４４と案内片５５との間に後述するスライドカバー１００の突条１００ｂが案内される案内溝３２を形成する（図４（ａ）参照）。
【００２９】
また、配線装置を使用しない時に、電源プラグの差込口１１及びモジュラプラグの差込口２１に埃等が入らないように、開口窓３０を覆う位置と開口窓３０を外部に臨ませる位置との間をスライド自在である２つのスライドカバー１００がハウジング３上面に取り付けられている。スライドカバー１００は、図３に示すように、２つの開口窓３０をそれぞれ覆うように形成され、互いに対向する面を除いて周部に形成された周壁１０１をハウジング３上面側に向けた状態で左右方向に沿ってスライド自在にハウジング３に保持される（図１（ｂ）参照）。
【００３０】
スライドカバー１００の左右方向に沿った周壁１０１の内側には、ボディ４及びカバー５に各々設けられた嵌合溝４５、５６に嵌合する嵌合片１０２が内向きに突設されている。これら嵌合片１０２を嵌合溝４５、５６に嵌合することでスライドカバー１００がハウジング３に保持される（図２（ｄ）参照）。また、嵌合片１０２の先端には、さらに内向きに突出した突部１０２ａが形成されている。これら突部１０２ａは、スライドカバー１００を開く方向にスライドさせた場合に、ボディ４及びカバー５の切り溝４７、５８に嵌合することでスライドカバー１００が外れないようにスライド幅を規制している。
【００３１】
このように保持されたスライドカバー１００を、図３（ｂ）に示すように、左右方向外側にスライドさせて開いた時には、電源プラグの差込口１１及びモジュラプラグの差込口２１がハウジング３の開口窓３０を介して露出した状態となり、図３（ａ）に示すように、左右方向内側にスライドさせて閉じたときには、ハウジング３の開口窓３０がスライドカバー１００で覆い隠され、電源プラグの差込口１１及びモジュラジャックの差込口２１も隠れた状態となる。
【００３２】
また、スライドカバー１００上面内側の前後方向における略中央には、左右方向に亘って突条１００ｂが下方に突設されており、該突条１００ｂをハウジング３の案内溝３２に嵌合することで突条１００ｂが案内溝３２に案内され、スライドカバー１００を容易に取り付けることができる。さらに、スライドカバー１００上面の互いに対向する側の端部には、前後方向に亘って複数のスリット１００ａが設けられており、該スリット１００ａが滑り止めとなってスライドカバー１００の開閉を容易に行うことができる。
【００３３】
以下、本実施形態の配線装置の組立方法について説明する。図１（ａ）に示すように、電源コンセント１及びモジュラジャック２をボディ４の収納部３１にそれぞれ載置する。この時、図２（ｂ）に示すように、予め電源コンセント１とモジュラジャック２にそれぞれ電源線Ｌ１、通信線Ｌ２を接続しておく。電源線Ｌ１は、先端部の外皮を剥がして接続に必要な長さ分だけ電線Ｌａ及び接地線Ｌｂを露出させ、それぞれ電源コンセント１の電線挿通孔１２を通して端子部に接続する。本実施形態では、接地線Ｌｂがモジュラジャック２寄りに位置している。通信線Ｌ２も、先端部の外皮を剥がして必要な長さ分の撚り線を露出させ、撚り線を解いてモジュラジャック２の通信線挿通孔２２を通してコンタクトに成端する。尚、接続方法については従来周知であるので詳細な説明は省略する。
【００３４】
電源コンセント１及びモジュラジャック２を載置する際には、電源線Ｌ１の外皮を電源線止め部６に、通信線Ｌ２の外皮を通信線止め部７にそれぞれ前方から押し込むことで固定する。このようにすることで、各線が例えば足を引掛ける等して引張り力を受けて接続に支障をきたすのを防ぐことができる。
【００３５】
ところで、接地線Ｌｂには、通常電圧がかかっていないが、電線Ｌａと接地線Ｌｂが短絡した時には、接地線Ｌｂに高電圧が印加される。この時、仮に電線Ｌａ及び接地線Ｌｂを接続に必要な長さ以上に露出させ、接地線Ｌｂの被覆が剥がれた場合に、接地線Ｌｂの余長分が通信線Ｌ２と接触すると、モジュラジャック２に過大な電圧が印加され、感電等の事故を生じる虞がある。そこで、本実施形態ではボディ４及びカバー５に隔壁８を設けることで、電源コンセント１の収納部３１とモジュラジャック２の収納部３１とを隔離することができ、電線Ｌａ及び接地線Ｌｂを接続に必要な長さ以上に露出させた場合に、接地線Ｌｂの余長分が隔壁８に遮られて電源コンセント１の収納部３１のみに押し込まれる。したがって、接地線Ｌｂが通信線Ｌ２と直接接触することがなく、また隔壁８が絶縁性材料で形成されているため、接地線Ｌｂと通信線Ｌ２との混触を防止することができる。
【００３６】
次に、ボディ４の前面にカバー５の後面を突き合わせるようにしてカバー５をボディ４の前方から近づける。上面側では、略中央においてボディ４の突壁４０下側の係止孔４０ａにカバー５の突壁５０下側の主片５２を挿通させ、主片５２の係止片５２ａでボディ４の後面に係止すると共に、左右両端においてボディ４の突片４１の係合片４１ａをカバー５の突片５１の長孔５１ａに係合させる。
【００３７】
下面側では、ボディ４のボス部４３とカバー５のボス部５４とを当接させて、カバー５の前方から取付孔４３ａ、５４ａに組立ネジ１１０を挿通させることでネジ止めしてボディ４とカバー５が結合される。後は上述のように、スライドカバー１００をボディ４及びカバー５を結合して成るハウジング３の上面に取り付けることで配線装置が完成する。
【００３８】
完成した配線装置は、例えば机の天板に設けられた配設孔（図示せず）に埋め込み配設して使用される。具体的には、ハウジング３の下面を上方から配設孔に挿入すると、ボディ４及びカバー５にそれぞれ設けられた取付片４８、５９の傾斜突部４８ａ、５９ａの傾斜面が、配設孔の周縁に当接することで取付片４８、５９が内側へと撓み、さらに奥に挿入することで取付片４８、５９の突出部４８ｂ、５９ｂと傾斜突部４８ａ、５９ａとの間に配設孔の周縁が嵌合し、配線装置が固定される。
【００３９】
上述のように、ハウジング３の内部に電源コンセント１の収納部３１とモジュラジャック２の収納部３１とを隔離する絶縁性の隔壁８を設けたので、接続に必要な長さ以上の電線Ｌａ及び接地線Ｌｂを露出させてハウジング３内に押し込んだ場合に、接地線Ｌｂの余長分が通信線Ｌ２と混触するのを防ぐことができ、電源コンセント１が短絡又は地絡して電線Ｌａと接地線Ｌｂが短絡した場合の通信線Ｌ２及びモジュラジャック２における感電や漏電等の発生を防ぐことができる。尚、本実施形態では接地極付きの電源プラグに対応した電源コンセント１を用いているが、接地極の無い電源コンセント１を用いてもよい。この場合、接地線Ｌｂではなく電線Ｌａがモジュラジャック２寄りに位置するので、接地線Ｌｂがモジュラジャック２寄りの場合と比べて混触の可能性が大きくなるが、絶縁性の隔壁８が電線Ｌａと通信線Ｌ２とを隔離するので混触を防止することができる。
【００４０】
ところで、ボディ４及びカバー５の隔壁８は、少なくとも電源コンセント１が載置される側の壁面に、例えば金属メッキを施したり、導電性塗料を塗布する又は導電シートを貼付する等して導電性の部材を取り付けてもよい。これら導電性の部材を壁面に取り付け、接地線Ｌｂと接続することで、通信線Ｌ２やモジュラジャック２をシールドすることができ、したがって電線Ｌａから放射される電磁波ノイズの影響が通信線Ｌ２やモジュラジャック２に及ぶのを防ぐことができる。
【図面の簡単な説明】
【００４１】
【図１】本発明の実施形態の配線装置を示す図で、（ａ）は上面から見た分解斜視図で、（ｂ）は下面から見た分解斜視図である。
【図２】同上を示す図で、（ａ）は後面図で、（ｂ）はハウジング内部を示す図で、（ｃ）は前面図で、（ｄ）は右側面図である。
【図３】同上の上面図で、（ａ）はスライドカバーを閉じた状態を示す図で、（ｂ）はスライドカバーを開いた状態を示す図である。
【図４】同上の全体斜視図で、（ａ）は上面から見た図で、（ｂ）は下面から見た図である。
【符号の説明】
【００４２】
１  電源コンセント
２  モジュラジャック（情報コンセント）
３  ハウジング
６  電源線止め部
７  通信線止め部
８  隔壁
９  排水孔
【図１】
0004692306.tif 000002
【図２】
0004692306.tif 000003
【図３】
0004692306.tif 000004
【図４】
0004692306.tif 000005